(57)【要約】【課題】  振動板の前面側に設けられる保護ネットユニットの移送又は保管等の際に保護ネットの基端周縁部に装着されたＵ字状ゴム部品が保護ネットから外れるの防止することを目的とする。【解決手段】  振動板の前面側を覆うように設けられる保護ネットと、保護ネットを取付け部材の溝に嵌合させるためのＵ字状ゴム部品が、保護ネットの基端周縁部に装着された二個の保護ネットユニットのＵ字状ゴム部品の端面どうしを当接させた状態で梱包用ポリ袋に入れる梱包構造において、梱包用ポリ袋の開口内周長の寸法を保護ネットユニットの挿入方向に直交する方向の最大部位の周長と略同じ寸法又は小さめの寸法とし、梱包用ポリ袋によりＵ字状ゴム部品の端面方向に所定の負荷が加えられるようにした。【選択図】  図２
2006232377.tif 000002
【特許請求の範囲】
【請求項１】
保護対象物を覆うように設けられる保護ネットと、該保護ネットを取付け部材の溝に嵌合させるための接合部材が、該保護ネットの基端周縁部に装着された保護ネットユニットの梱包構造において、
前記保護ネットユニットは、前記接合部材の端面方向に所定の負荷が加えられ固定された状態で梱包されることを特徴とする保護ネットユニットの梱包構造。
【請求項２】
２個の前記保護ネットユニットは、前記接合部材の端面どうしを当接させ、端面方向に所定の負荷が加えられ固定された状態で梱包されることを特徴とする請求項１に記載の保護ネットユニットの梱包構造。
【請求項３】
前記保護ネットユニットは、前記接合部材の端面を平板に当接させた状態で梱包されることを特徴とする請求項１に記載の保護ネットユニットの梱包構造。
【請求項４】
前記２個の接合部材の端面間に平板を挟んだ状態で梱包されることを特徴とする請求項２に記載の保護ネットユニットの梱包構造。
【請求項５】
前記保護ネットユニットは、袋体へ挿入された梱包形態であることを特徴とする請求項１乃至請求項４に記載の保護ネットユニットの梱包構造。
【請求項６】
前記袋体の開口内周長の寸法は、前記保護ネットユニットの挿入方向に直交する方向の最大部位の周長と略同じ寸法またはそれより小さめの寸法とし、該袋体により前記接合部材の端面方向に所定の負荷が加えられ固定されるようにしたことを特徴とする請求項１乃至請求項５に記載の保護ネットユニットの梱包構造。
【請求項７】
保護対象物を覆うように設けられる保護ネットと、該保護ネットを取付け部材の溝に嵌合させるための接合部材が、該保護ネットの基端周縁部に装着された保護ネットユニットの梱包構造において、
前記保護ネットユニットは、前記接合部材の端面を平板に当接させた状態で梱包され、該平板に該保護ネットユニットの外周縁部に当接する位置決め用の突出部が設けられていることを特徴とする保護ネットユニットの梱包構造。
【発明の詳細な説明】
【技術分野】
【０００１】
本発明は、保護対象物を覆うように設けられる保護ネット、特にスピーカの振動板の前面に設けられる保護ネットユニットを移送または保管などの際に適した梱包構造に関する。
【背景技術】
【０００２】
スピーカの振動板の前面に配設されるスピーカグリルに構成される保護ネットユニットの移送または保管などの際に用いられている梱包形態の一部を図を用いて説明する。
【０００３】
図１は本発明に関するスピーカグリルの要部を示す概略断面図である。スピーカグリル１０はグリル本体１５および保護ネットユニット２０などにより構成される。グリル本体１５には、保護ネットユニット２０が嵌合する溝１６および図示せぬ取付け孔などが形成されており、樹脂部材などにより樹脂成形される。保護ネットユニット２０は、保護ネット２１およびＵ字状ゴム部品３０により構成される。保護ネット２１は、振動板の前面側を覆うように設けられるネットで、例えば円皿形状をしており縁端部はグリル本体１５に形成された溝１６へ嵌合させるための基部嵌合部２２が形成されている。材料には孔明鋼板（パンチングメタル）などが用いられプレス加工などにより形成される。Ｕ字状ゴム部品（接合部材に相当）３０は、断面形状がＵ字形状をした帯体で、溝幅は保護ネット２１の基部嵌合部２２の厚みと略同じ寸法となつており、帯体の長さは保護ネット２１の基部嵌合部２２の外周長よりやや短めの寸法となっている。尚、保護ネットユニット２０は、保護ネット２１の基部嵌合部２２にＵ字状ゴム部品３０を装着した状態を総称し、この状態ではＵ字状ゴム部品３０を装着した部分の厚み寸法が、グリル本体１５の溝１６の幅寸法よりも大きくなっており、保護ネットユニット２０をグリル本体１５の溝１６に嵌合させると、Ｕ字状ゴム部品３０が弾性(圧縮)変形して保護ネットユニット２０とグリル本体１５との嵌合状態が維持されるようになっている。
【０００４】
次に、保護ネットユニットの梱包形態について図７および図８を用いて説明する。図７は背景技術の保護ネットユニットを１個単位で梱包する場合の梱包形態を示す断面図である。図８は背景技術の保護ネットユニットを複数個単位で梱包する場合の梱包形態を示す断面図である。保護ネットユニット２０を顧客先（ディーラ）等へ移送または工程内の移動や保管などの際に用いられている梱包形態には、１個単位で梱包する場合と、複数個単位で梱包する場合とがある。１個単位の場合は図７で示すように１個の保護ネットユニット２０が容易に入る程度の大きさのポリ袋４０（低密度ポリエチレンシート部材を用いた袋）に入れる梱包形態が用いられている。また、複数個を単位として梱包する場合には図８で示すように複数の保護ネットユニット２０を重ねた状態(本例２個)で、容易に入る程度の大きさのポリ袋４１に入れる梱包形態が用いられている。
【０００５】
この出願の発明に関する先行技術文献としては次のものがある。
【特許文献１】第２８９６０３３号
【発明の開示】
【発明が解決しようとする課題】
【０００６】
しかし、上述の保護ネットユニット２０の梱包形態では、ポリ袋４０，４１への出し入れの際、または顧客先（ディーラ）等に納める際の輸送時に、保護ネットユニット２０に振動や摩擦などが加わり、保護ネットユニット２０に装着されたＵ字状ゴム部品３０が外れ顧客先に迷惑をかけると言う問題が残る。
【０００７】
その他に、保護ネットユニット２０を工程内で運搬する場合または一時保管や移動させる場合などにおいても、上記と同じようにＵ字状ゴム部品３０が保護ネット２１から外れる場合があり、再度の装着作業が必要となり無駄な工数が発生すると言う問題も残る。
【０００８】
尚、先行技術文献に開示されたものは完成されたスピーカ用の梱包材に関するものであり、梱包する段階では既に保護ネットが組み込まれた状態となるので、保護ネットに対してもそれなりの効果があると思われる。しかし、本発明は保護ネット２１にＵ字状ゴム部品３０が装着された不安定なユニット（部品）の状態での梱包構造に関するものであり先行技術文献とはその点が異なる。
【０００９】
本発明は上述の問題を解決するもので、振動板の前面側に設けられる保護ネットユニットの移送または保管などの際に接合部材（Ｕ字状ゴム部品）が保護ネットから外れるの防止できる保護ネットユニットの梱包構造を提供することを目的とする。
【課題を解決するための手段】
【００１０】
本発明は上述の目的を達成するもので、保護対象物を覆うように設けられる保護ネットと、該保護ネットを取付け部材の溝に嵌合させるための接合部材が、該保護ネットの基端周縁部に装着された保護ネットユニットの梱包構造において、前記保護ネットユニットは、前記接合部材の端面方向に所定の負荷が加えられ固定された状態で梱包されることを特徴とするものである。
【００１１】
または、２個の前記保護ネットユニットは、前記接合部材の端面どうしを当接させ、端面方向に所定の負荷が加えられ固定された状態で梱包されることを特徴とするものである。
【００１２】
または、前記保護ネットユニットは、前記接合部材の端面を平板に当接させた状態で梱包されることを特徴とするものである。
【００１３】
または、前記２個の接合部材の端面間に平板を挟んだ状態で梱包されることを特徴とするものである。
【００１４】
または、前記保護ネットユニットは、袋体へ挿入された梱包形態であることを特徴とするものである。
【００１５】
または、前記袋体の開口内周長の寸法は、前記保護ネットユニットの挿入方向に直交する方向の最大部位の周長と略同じ寸法またはそれより小さめの寸法とし、該袋体により前記接合部材の端面方向に所定の負荷が加えられ固定されるようにしたことを特徴とするものである。
【００１６】
または、保護対象物を覆うように設けられる保護ネットと、該保護ネットを取付け部材の溝に嵌合させるための接合部材が、該保護ネットの基端周縁部に装着された保護ネットユニットの梱包構造において、前記保護ネットユニットは、前記接合部材の端面を平板に当接させた状態で梱包され、該平板に該保護ネットユニットの外周縁部に当接する位置決め用の突出部が設けられていることを特徴とするものである。
【発明の効果】
【００１７】
以上説明したように本発明によれば、保護ネットユニットの移送または保管などの際に      接合部材が保護ネットから外れるの防止することができる。
【発明を実施するための最良の形態】
【００１８】
本発明は保護ネットユニットの梱包構造に関するものであり、特にスピーカの振動板の前面に配設されるスピーカグリルに構成される保護ネットユニットの移送または保管などの際に適した梱包構造である。以下に、本発明を適用した事例の一部について図面を用いて説明する。尚、保護ネットユニットについては背景技術のスピーカグリルで説明したものと同じものであるので詳細説明は省略する。
【実施例１】
【００１９】
本発明の実施例１を図１および図２を用いて説明する。図１は本発明に関するスピーカグリルの要部を示す概略断面図である。図２は本発明の実施例１の保護ネットユニットの梱包構造を示す断面図である。
【００２０】
１１は保護ネットユニット２０を２個単位で梱包する場合の梱包構造で、図２で示すように保護ネットユニット２０のＵ字状ゴム部品３０の端面３１どうしを当接させた状態で、所定の大きさの梱包用ポリ袋４５（袋体に相当、低密度ポリエチレンシート部材を用いた袋）に入れて２個を固定する梱包構造である。
【００２１】
本発明では梱包用ポリ袋４５の開口内周長の寸法が重要であり、その開口内周長の寸法は、保護ネットユニット２０の挿入方向に直交する方向の最大部位の周長と略同じ寸法、または、それよりやや小さめの寸法とし、挿入方向の長さは保護ネットユニット２０全体が入る程度の長さ以上が望ましい。
【００２２】
梱包用ポリ袋４５は、保護ネットユニット２０を梱包用ポリ袋４５に入れた梱包状態において、梱包用ポリ袋４５の押圧力（弾性力）と保護ネットユニット２０の反発力（弾性力）により、Ｕ字状ゴム部品３０の端面方向に所定の負荷が加えられ固定される寸法となっている。尚、Ｕ字状ゴム部品３０の端面方向に加え得る負荷の大きさは、梱包用ポリ袋４５の開口内周長の寸法または梱包用ポリ袋４５のシート部材の厚みを変えることにより調整することができる。
【００２３】
以上説明したように、実施例１の保護ネットユニット２０の梱包構造１１によれば、２個の保護ネットユニット２０のＵ字状ゴム部品３０の端面３１どうしを当接させた状態で、所定の大きさの梱包用ポリ袋４５に入れることにより、梱包用ポリ袋４５の押圧力が２個の保護ネットユニット２０に加わり、それぞれのＵ字状ゴム部品３０の端面方向に所定の負荷が加えられ固定された状態で梱包されるので、移送の際に振動が加わっても保護ネットユニット２０からＵ字状ゴム部品３０が外れるのを防止することができる。また、２個の保護ネットユニット２０のＵ字状ゴム部品３０の端面どうしを当接させた状態で、梱包用ポリ袋４５に出し入れするので、出し入れの際にもＵ字状ゴム部品３０が外れるのを防止することができる。その他に、梱包用ポリ袋４５は再利用またはリサイクル利用も可能である。
【００２４】
尚、保護ネットユニット２０の梱包に梱包用ポリ袋４５を用いたが、これに限らず所定の寸法で、Ｕ字状ゴム部品３０の端面方向に所定の負荷が加えられ固定できる材料であればよく、例えば紙部材を用いた紙袋でもよい。
【００２５】
また、梱包用ポリ袋の間口を保護ネットユニットの外周部より大きくし、底方向を外周部より小さくしてもよい。このようにすれば保護ネットユニットは外周部の長さが、袋の断面周長と一致するところまで入って固定されるため、袋の寸法管理を厳しくする必要がなく、また挿入取り出しも容易となる。その他に、梱包用ポリ袋を筒状（底なし）に形成してもよい。
【実施例２】
【００２６】
本発明の実施例２を図３および図４を用いて説明する。図３は本発明の実施例２の保護ネットユニットの梱包構造を示す断面図である。図４は図３と一部が異なる保護ネットユニットの梱包構造を示す断面図である。尚、実施例２は実施例１の一部を変更したものであり、実施例１と同じ構成については同じ符号を付し説明を省略する。
【００２７】
１２は保護ネットユニット２０を１個単位で梱包する場合の梱包構造で、図３で示すように保護ネットユニット２０のＵ字状ゴム部品３０の端面３１を補助平板５０に当接させた状態（伏せた状態）で、所定の大きさの梱包用ポリ袋４６に入れて固定する梱包構造である。補助平板５０は、Ｕ字状ゴム部品３０の端面３１が当接する大きさの方形または円形の平板で、例えば、段ボール部材を切断したものでよい。
【００２８】
梱包用ポリ袋４６の開口内周長の寸法は、保護ネットユニット２０の挿入方向に直交する方向の補助平板５０を含む最大部位の周長と略同じ寸法、または、それよりやや小さめの寸法とし、挿入方向の長さは保護ネットユニット２０全体が入る程度の長さ以上が望ましい。
【００２９】
１３は保護ネットユニット２０を２個単位で梱包する場合の梱包構造で、図４で示すように、２個の保護ネットユニット２０のＵ字状ゴム部品３０の端面３１どうしを合わせた端面間に補助平板５０を挟んだ状態で、所定の大きさの梱包用ポリ袋４７に入れて２個を固定する梱包構造である。補助平板５０は１個単位で梱包する場合と同じ内容のものを用いることができる。また、梱包用ポリ袋４７の開口内周長の寸法は、保護ネットユニット２０の挿入方向に直交する方向の補助平板５０を含む最大部位の周長と略同じ寸法、または、それよりやや小さめの寸法とし、挿入方向の長さは保護ネットユニット２０全体が入る程度の長さ以上が望ましい。
【００３０】
以上説明したように、本発明の実施例２の保護ネットユニット２０の梱包構造１２によれば、Ｕ字状ゴム部品３０の端面３１を補助平板５０に当接させた状態で梱包用ポリ袋４６に出し入れするので、出し入れの際にＵ字状ゴム部品３０の端面３１が梱包用ポリ袋４６に接触したり、または、外部からの振動などによりＵ字状ゴム部品３０が外れるのを防止することができる。
【００３１】
また、２個単位の保護ネットユニット２０の梱包構造１３によれば、Ｕ字状ゴム部品３０の端面３１どうしを合わせた端面間に補助平板５０を挟んだ状態で梱包するので、梱包用ポリ袋４７への出し入れの際に、それぞれの端面どうしが多少ずれた場合でも、その殆どが補助平板５０に当接しているので、Ｕ字状ゴム部品３０が外れるのを防止することができる。
【００３２】
その他に、実施例１と同じように梱包用ポリ袋４６、４７および補助平板５０の再利用またはリサイクル利用も可能である。
【実施例３】
【００３３】
本発明の実施例３を図５，図６を用いて説明する。図５は本発明の実施例３の保護ネットユニットの梱包構造を示す平面図である。図６は実施例３の保護ネットユニットの位置決め状態を示す断面図で、（ａ）円突出部の図、（ｂ）切り起し部の図である。
【００３４】
１４は保護ネットユニット２０を複数個梱包する場合の梱包構造で、図５で示すように、
保護ネットユニット２０のＵ字状ゴム部品３０の端面３１を段ボール平板６０に当接するように伏せた状態で、保護ネットユニット２０の外周縁部に少なくとも３箇所以上当接するように位置決め用の突出部６１を形成し、保護ネットユニット２０を所定の位置に位置決めする。突出部６１は図６（ａ）で示すように段ボール平板６０の背面側から例えば円形または方形などの半抜き突出部６２（段ボール平板６０の厚みの約半分ぐらい突出させる）を形成する。または、図６（ｂ）で示すように段ボール平板６０の背面側から切起し突出部６３を形成してもよい。尚、本例は多数の保護ネットユニット２０を梱包する場合に適した梱包構造であり、１枚の段ボール平板６０に保護ネットユニット２０を効率よく並べるためには、千鳥状に位置決め用の突出部６１を形成するとよい。また、段ボール平板６０の４隅または４辺の所定の位置に指掛け用の切欠部６４を設けると梱包の取り扱いの際に便利である。
【００３５】
梱包に際しては段ボール平板６０に保護ネットユニット２０を並べた状態で、段ボール平板６０が緩挿する大きさの段ボール箱（図示省略）に入れる。必要により所定の枚数重ねてもよいが、枚数を重ねることにより下段の保護ネットユニット２０に永久歪が発生しない程度にする必要がある。尚、下段の保護ネットユニット２０に負荷が、かからないようにするには段ボール平板６０の面に対して垂直上方向に、保護ネットユニット２０と同じ高さの受け部（切り起し、貼り付け等）を設けることにより、重ねた段ボール平板６０の荷重を受けることができる。また、重ねた最上部には保護ネットユニット２０に当接する段ボール蓋（図示省略）を載せた後に段ボール箱の上蓋を閉めて梱包する。
【００３６】
以上説明したように、本発明の実施例３の保護ネットユニット２０の梱包構造１４によれば、多数の保護ネットユニット２０を効率よく梱包することができる。また、保護ネットユニット２０からＵ字状ゴム部品３０が外れるのを防止することができる。
【００３７】
その他に、段ボール平板６０、段ボール箱および段ボール蓋の再利用またはリサイクル利用も可能である。
【００３８】
尚，実施例１乃至実施例３の説明では円形の保護ネットユニット２０の梱包構造を例として説明したが、これに限らず例えば楕円形、方形、異形状の保護ネットユニットでも本発明の梱包構造を適用することができる。その他に、保護ネット２１とＵ字状ゴム部品３０との装着状態を改善するために、例えば保護ネット２１の装着部位に弾性のある突出部（切り越し）や凹凸、またはＵ字状ゴム部品３０の溝の内側壁に保護ネット２１の素材（孔明鋼板）に形成されたパンチング孔に嵌りこむ程度の突出部（ダボ）を設けることにより、Ｕ字状ゴム部品３０の装着力が増強され本発明の効果をさらに向上させることができる。
【００３９】
尚、以上の実施例は、スピーカの保護ネットについて述べたが，スピーカ以外のも例えば、送風ファン、ランプ、エアコンの吹出口などの保護ネットにも本発明が適用できることは言うまでもない。
【図面の簡単な説明】
【００４０】
【図１】本発明に関するスピーカグリルの要部を示す概略断面図である。
【図２】本発明の実施例１の保護ネットユニットの梱包構造を示す断面図である。
【図３】本発明の実施例２の保護ネットユニットの梱包構造を示す断面図である。
【図４】図３と一部が異なる保護ネットユニットの梱包構造を示す断面図である。
【図５】本発明の実施例３の保護ネットユニットの梱包構造を示す平面図である。
【図６】実施例３の保護ネットユニットの位置決め状態を示す断面図である。
【図７】背景技術の保護ネットユニットを１個単位で梱包する場合の梱包形態を示す断面図である。
【図８】背景技術の保護ネットユニットを複数個単位で梱包する場合の梱包形態を示す断面図である。
【符号の説明】
【００４１】
１０・・・スピーカグリル
１１、１２，１３，１４・・・梱包構造
１５・・・グリル本体
１６・・・溝
２０・・・保護ネットユニット
２１・・・保護ネット
２２・・・基部嵌合部
３０・・・Ｕ字状ゴム部品
３１・・・端面
４５，４６，４７・・・梱包用ポリ袋
５０・・・補助平板
６０・・・段ボール平板
６１・・・突出部
６２・・・半抜き突出部
６３・・・切起し突出部
６４・・・切欠部
【図１】
2006232377.tif 000003
【図２】
2006232377.tif 000004
【図３】
2006232377.tif 000005
【図４】
2006232377.tif 000006
【図５】
2006232377.tif 000007
【図６】
2006232377.tif 000008
【図７】
2006232377.tif 000009
【図８】
2006232377.tif 000010